(57)【要約】【課題】生産能力及び取り扱い性が向上し、製品完成後に誤配線が発見されても結線の修復が可能な配線ユニットケーブル用ジョイントボックスを提供する。【解決手段】結線部３に電線コネクタ７を設け、その電線コネクタ７をジョイントボックス本体４に形成したスロット溝１１のストッパー１７に着脱自在に係合させる。また、ジョイントボックス本体４に複数の溝１９からなるケーブル保持用のスロット部分１２を設ける。さらに、ジョイントボックスカバーに配線ユニットケーブル２をスロット部分１２に押し付ける押し付け部材を設ける。ストッパー１７には、電線コネクタ７から引き出した絶縁線心６の斜め配索を可能にするテーパ１６を形成する。【選択図】　　図１
2004007878.tif 000002
【特許請求の範囲】
【請求項１】
配線ユニットケーブルを構成する絶縁線心の端末を結線して形成した結線部を、ジョイントボックス本体と該ジョイントボックス本体に対して一体又は別体状態で係合するジョイントボックスカバーとの内部に収納することにより、前記結線部を外部に対して保護する配線ユニットケーブル用ジョイントボックスであって、
前記結線部に電線コネクタを設け、該電線コネクタを前記ジョイントボックス本体に形成したスロット溝のストッパーに着脱自在に係合させた
ことを特徴とする配線ユニットケーブル用ジョイントボックス。
【請求項２】
請求項１に記載の配線ユニットケーブル用ジョイントボックスにおいて、
前記ストッパーに、前記電線コネクタから引き出した前記絶縁線心の斜め配索を可能にするテーパを形成した
ことを特徴とする配線ユニットケーブル用ジョイントボックス。
【請求項３】
請求項１又は請求項２に記載の配線ユニットケーブル用ジョイントボックスにおいて、
前記ジョイントボックス本体に複数の溝からなるケーブル保持用のスロット部分を設けるとともに、前記ジョイントボックスカバーには前記配線ユニットケーブルを前記スロット部分に押し付ける押し付け部材を設けた
ことを特徴とする配線ユニットケーブル用ジョイントボックス。
【請求項４】
請求項３に記載の配線ユニットケーブル用ジョイントボックスにおいて、
前記押し付け部材を反発弾性の小さい部材で形成した
ことを特徴とする配線ユニットケーブル用ジョイントボックス。
【請求項５】
請求項３又は請求項４に記載の配線ユニットケーブル用ジョイントボックスにおいて、
前記スロット部分に滑り止めを形成した
ことを特徴とする配線ユニットケーブル用ジョイントボックス。
【請求項６】
請求項１ないし請求項５いずれか記載の配線ユニットケーブル用ジョイントボックスにおいて、
前記ジョイントボックスカバーに、前記ジョイントボックス本体に対して係合及び離脱が自在となるロック手段を形成した
ことを特徴とする配線ユニットケーブル用ジョイントボックス。
【発明の詳細な説明】
【０００１】
【発明の属する技術分野】
本発明は、配線ユニットケーブル用ジョイントボックスに関し、特に、結線部周りの樹脂モールドをなくした構造の配線ユニットケーブル用ジョイントボックスに関する。
【０００２】
【従来の技術】
近年、玄関や居間や寝室などの各部屋別にユニット化した部屋ユニットを住宅メーカーの工場で製造し、それらを施工現場で施主の希望や敷地形状に応じて組み付けることにより、一つの家屋が出来上がるようなプレハブ住宅工法が知られている。プレハブ住宅工法においては、各部屋ユニット別の配線も予め工場内で行われるようになっており、その配線によって屋内配線作業の簡素化を達成することができるようになっている。屋内配線作業の簡素化を達成するためには、ジョイントボックスが用いられている。
【０００３】
従来のジョイントボックスとしては、その内部に絶縁性の熱硬化樹脂（エポキシ樹脂等）を充填・モールドして、分岐接続した屋内配線ユニットケーブルの結線部を固定及び保護するような構造のものになっている。尚、上記屋内配線ユニットケーブルは、用途に応じて二芯ケーブル、三芯ケーブル等のものが使用されている。
【０００４】
【発明が解決しようとする課題】
ところで、上記従来のジョイントボックスにあっては、熱硬化樹脂の硬化時間が必然的に発生して生産能力を向上させることができないという問題点を有している。また、ジョイントボックスの製品完成後にケーブル結線の誤配線が発覚しても、結線部が樹脂モールドされているために修復が不可能であり、ジョイントボックスを廃棄して新たに製造し直すしかないという問題点を有している。さらに、ジョイントボックスの内部全体が樹脂モールドされているために重量が重くなり、取り扱い性に影響を来しているという問題点を有している。
【０００５】
本発明は、上述した事情に鑑みてなされるもので、生産能力及び取り扱い性が向上し、製品完成後に誤配線が発見されても結線の修復が可能な配線ユニットケーブル用ジョイントボックスを提供することを課題とする。
【０００６】
【課題を解決するための手段】
上記課題を解決するためなされた請求項１記載の本発明の配線ユニットケーブル用ジョイントボックスは、配線ユニットケーブルを構成する絶縁線心の端末を結線して形成した結線部を、ジョイントボックス本体と該ジョイントボックス本体に対して一体又は別体状態で係合するジョイントボックスカバーとの内部に収納することにより、前記結線部を外部に対して保護する配線ユニットケーブル用ジョイントボックスであって、前記結線部に電線コネクタを設け、該電線コネクタを前記ジョイントボックス本体に形成したスロット溝のストッパーに着脱自在に係合させたことを特徴としている。
【０００７】
請求項２記載の本発明の配線ユニットケーブル用ジョイントボックスは、請求項１に記載の配線ユニットケーブル用ジョイントボックスにおいて、前記ストッパーに、前記電線コネクタから引き出した前記絶縁線心の斜め配索を可能にするテーパを形成したことを特徴としている。
【０００８】
請求項３記載の本発明の配線ユニットケーブル用ジョイントボックスは、請求項１又は請求項２に記載の配線ユニットケーブル用ジョイントボックスにおいて、前記ジョイントボックス本体に複数の溝からなるケーブル保持用のスロット部分を設けるとともに、前記ジョイントボックスカバーには前記配線ユニットケーブルを前記スロット部分に押し付ける押し付け部材を設けたことを特徴としている。
【０００９】
請求項４記載の本発明の配線ユニットケーブル用ジョイントボックスは、請求項３に記載の配線ユニットケーブル用ジョイントボックスにおいて、前記押し付け部材を反発弾性の小さい部材で形成したことを特徴としている。
【００１０】
請求項５記載の本発明の配線ユニットケーブル用ジョイントボックスは、請求項３又は請求項４に記載の配線ユニットケーブル用ジョイントボックスにおいて、前記スロット部分に滑り止めを形成したことを特徴としている。
【００１１】
請求項６記載の本発明の配線ユニットケーブル用ジョイントボックスは、請求項１ないし請求項５いずれか記載の配線ユニットケーブル用ジョイントボックスにおいて、前記ジョイントボックスカバーに、前記ジョイントボックス本体に対して係合及び離脱が自在となるロック手段を形成したことを特徴としている。
【００１２】
請求項１に記載された本発明によれば、配線ユニットケーブルの結線部に設けた電線コネクタがジョイントボックス本体のスロット溝のストッパーに係合して固定される。電線コネクタは、ストッパーに対して着脱自在に係合することから、仮に、ジョイントボックス完成後に誤配線が発見されても、電線コネクタをストッパーから離脱させれば結線の修復が簡単に行える。また、熱硬化性樹脂を用いずに電線コネクタが固定されることから、ジョイントボックスの生産性が向上するとともに、重量が軽減されて取り扱い性が向上する。
【００１３】
請求項２に記載された本発明によれば、電線コネクタがストッパーに係合した後、電線コネクタから引き出された絶縁線心が必要に応じてテーパに沿って斜め配索される。絶縁線心の配索に係る自由度が増しジョイントボックス本体内の配索がし易くなる。テーパを形成することにより、ストッパーから絶縁線心に対する外圧の負荷が加わらないようになる。
【００１４】
請求項３に記載された本発明によれば、電線コネクタがストッパーに係合した後、配線ユニットケーブルがスロット部分に配索される。また、ジョイントボックスカバーがジョイントボックス本体に取り付けられると、押し付け部材によって配線ユニットケーブルがスロット部分に押し付けられ、配線ユニットケーブルが固定される。
【００１５】
請求項４に記載された本発明によれば、ケーブルサイズが異なる配線ユニットケーブルであってもスロット部分に押し付けられ、配線ユニットケーブルが安定した状態で固定される。
【００１６】
請求項５に記載された本発明によれば、スロット部分に配索された配線ユニットケーブルのずれが滑り止めにより防止される。
【００１７】
請求項６に記載された本発明によれば、ロック手段をジョイントボックス本体に係合させるとジョイントボックスカバーがそのジョイントボックス本体に取り付けられる。また、ロック手段をジョイントボックス本体から離脱させるとジョイントボックスカバーがそのジョイントボックス本体から取り外しされ、結線の修復が簡単に行える。
【００１８】
【発明の実施の形態】
以下、図面を参照して本発明の実施の形態を説明する。
図１は本発明の配線ユニットケーブル用ジョイントボックスの一実施の形態を示す図である。また、図２〜図４はジョイントボックス本体の図、図５〜図８はジョイントボックスカバーの図、図９はジョイントボックスカバーを取り付けた状態の配線ユニットケーブル用ジョイントボックスの平面図、図１０は図９のＡ−Ａ線断面図である。
【００１９】
図１において、引用符号１は複数の配線ユニットケーブル２の複数の結線部３を外部に対して保護することができるように形成した配線ユニットケーブル用ジョイントボックスを示している。その配線ユニットケーブル用ジョイントボックス１は、複数の結線部３を収納するための合成樹脂製のジョイントボックス本体４と、そのジョイントボックス本体４に対して着脱自在に係合する合成樹脂製のジョイントボックスカバー５（図９参照）とを備えて構成されている。以下、上記各構成について説明する。
【００２０】
上記結線部３は、配線ユニットケーブル２を構成する複数の絶縁線心６の端末を所定の経路同士となるように結線して形成されている。そして、このように形成された結線部３には、それぞれ電線コネクタ７が設けられている。電線コネクタ７は、絶縁性を有しており、他の電線コネクタ７等に接触しても電気的な導通が得られないように形成されている。また、電線コネクタ７は、本形態において、ブロック形状に形成されている。電線コネクタ７の絶縁線心６が引き出される部分には、平坦な係止面８が形成されている。
【００２１】
上記ジョイントボックス本体４は、図１ないし図４に示される如く、複数の配線ユニットケーブル２が差し込まれる方向の面と、複数の配線ユニットケーブル２が引き出される方向の面とが開放された略箱状の部材であって、基板９と、側壁１０、１０と、複数のスロット溝１１と、スロット部分１２と、取り付け部１３とを有している。
【００２２】
基板９は、平坦な表裏面を有する平面視矩形の板状の部分であって、その基板９の上縁には、取り付け部１３が連成されている。取り付け部１３には、壁や柱等に配線ユニットケーブル用ジョイントボックス１を取り付けするための貫通孔１４が形成されている。
【００２３】
側壁１０、１０は、基板９の両側縁から突出するようにその基板９に形成されている。また、側壁１０、１０は、適宜高さを有して基板９に一体に形成されている。そして、このような側壁１０、１０の各突出先端面には、その先端面を凹ませたような凹状のロック部１５が複数形成されている。
【００２４】
複数のスロット溝１１は、基板９の上縁側であって取り付け部１３と側壁１０、１０との間に形成されている。また、複数のスロット溝１１は、基板９から複数の壁を突出させるようにしてその壁の間に形成されている。各スロット溝１１の平面視の形状は、電線コネクタ７の形状に合わせて形成されている。尚、各スロット溝１１のサイズは、電線コネクタ７よりも約５〜１０％大きいサイズになっている（余裕を持たせている。この余裕が小さいと電線コネクタ７の設置が容易に行えず、また、余裕が大きいと電線コネクタ７がずれ易くなる）。
【００２５】
各スロット溝１１の溝開口部には、電線コネクタ７の係止面８が係合し且つテーパ１６、１６を有する平面視台形状のストッパー１７が形成されている。ここで、テーパ１６、１６は、電線コネクタ７から引き出される絶縁線心６の斜め配索を可能にするために形成されている（絶縁線心６が必要に応じてテーパ１６に沿って斜め配索される。絶縁線心６の配索に係る自由度が増しジョイントボックス本体４内の配索がし易くなる）。
【００２６】
尚、複数のスロット溝１１が形成される部分であって、側壁１０、１０におけるロック部１５の並びには、係止突起１８が形成されている。係止突起１８の形成は任意であるものとする。
【００２７】
スロット部分１２は、溝１９を複数連続させて構成されており、基板９の下縁側であって側壁１０、１０の間に突出するように形成されている。このようなスロット部分１２の各溝１９には、対応する配線ユニットケーブル２が差し込まれるようになっている。本形態において、スロット部分１２の各溝１９には、例えばその表面を凹凸加工した滑り止め２０が形成されている（スロット部分１２に配索された配線ユニットケーブル２のずれが防止される）。スロット部分１２の形成は任意であるものとする。
【００２８】
上記ジョイントボックスカバー５は、図５ないし図９に示される如く、略板状の部材であって、基板２１と、複数のスロット溝２２と、押し付け部材２３とを有している。基板２１は、平坦な表裏面を有し且つジョイントボックス本体４の基板９と同じサイズに形成された板状の部分であって、ジョイントボックス本体４の複数のロック部１５に対応する位置には、それぞれ係止突起２４（ロック手段）が形成されている。引用符号２５はジョイントボックス本体４の係止突起１８が係合するロック部（ロック手段）を示している。
【００２９】
複数のスロット溝２２は、ジョイントボックス本体４の複数のスロット溝１１に対向するように同形状で基板２１に配置形成されている。また、各スロット溝２２の溝開口部には、ジョイントボックスカバー５がジョイントボックス本体４に係合した後に電線コネクタ７の係止面８が係合する平面視台形状のストッパー２６が形成されている。そのストッパー２６には、上述の如く斜め配索を可能にするテーパ２７、２７が形成されている（テーパ２７、２７を形成することにより、ストッパー２６から絶縁線心６に対する外圧の負荷が加わらないようになる）。
【００３０】
本形態において、複数のスロット溝１１及び２２をジョイントボックス本体４及びジョイントボックスカバー５に分割して形成したのは、電線コネクタ７の設置に係る作業性を考慮したためである。尚、ジョイントボックス本体４の複数のスロット溝１１の溝深さを深くしてジョイントボックスカバー５の複数のスロット溝２２を省略することも可能である。ジョイントボックスカバー５は、ジョイントボックス本体４に対して着脱自在に係合するものとする。また、ジョイントボックス本体４に対して一体又は別体状態で係合するものとする（本形態では別体化を採用したが、ヒンジを介して開閉自在に一体化することも可能である）。
【００３１】
押し付け部材２３は、配線ユニットケーブル２をジョイントボックス本体４のスロット部分１２に押し付けるための部分であって、スロット部分１２に対向するように基板２１に設けられている（貼り付け固定されている）。また、押し付け部材２３は、反発弾性の小さい部材、例えばブチルゴムのような比較的硬度の小さい材質で形成されている（配線ユニットケーブル２のケーブルサイズが異なってもそのサイズ違いを図１０に示される如く吸収する。尚、反発弾性の小さい部材に限定するものではない）。押し付け部材２３の設定は任意であるものとする。
【００３２】
次に、上記構成に基づきながら配線ユニットケーブル用ジョイントボックス１の組み付けに係る作業を説明する。
【００３３】
先ず、各配線ユニットケーブル２の端末加工を行い、結線部３を形成するとともにその結線部３に電線コネクタ７を設ける作業を行う。次に、電線コネクタ７をジョイントボックス本体４の対応するスロット溝１１に差し込むとともに、各配線ユニットケーブル２をジョイントボックス本体４のスロット部分１２の対応するに溝１９に差し込んで各配線ユニットケーブル２を配索する作業を行う。
【００３４】
この時、電線コネクタ７から引き出された絶縁線心６は、必要に応じてテーパ１６に沿って斜め配索される。尚、この状態において、電線コネクタ７は、配線ユニットケーブル２がジョイントボックス本体４に対して差し込まれる方向に着脱自在となる。また、配線ユニットケーブル２がジョイントボックス本体４から引き出される方向には、ストッパー１７に係合してその移動が阻止される。
【００３５】
続いて、ジョイントボックス本体４内での各配線ユニットケーブル２の配索が完了すると、ジョイントボックスカバー５をジョイントボックス本体４に係合させる作業を行う。この時、ジョイントボックスカバー５の係止突起２４がジョイントボックス本体４のロック部１５に係合するとともに、ジョイントボックス本体４の係止突起１８がロック部２５に係合する。また、ジョイントボックス本体４のスロット部分１２に配索された各配線ユニットケーブル２がジョイントボックスカバー５の押し付け部材２３によってスロット部分１２に押し付けられ、配索が安定した状態に固定される。
【００３６】
ジョイントボックス本体４の開放された部分は、ジョイントボックスカバー５によって蓋がされたような状態（図９参照）になり、一連の組み付けに係る作業が完了する。
【００３７】
以上、図１ないし図１０までを参照しながら説明してきたように、各配線ユニットケーブル２の結線部３に設けた電線コネクタ７をジョイントボックス本体４のスロット溝１１のストッパー１７に係合させて固定することができる。
【００３８】
電線コネクタ７は、ストッパー１７に対して着脱自在に係合することから、仮に、配線ユニットケーブル用ジョイントボックス１の完成後に誤配線を発見しても、ジョイントボックスカバー５を取り外し、電線コネクタ７をストッパー１７から離脱させれば結線の修復を簡単に行うことができる。
【００３９】
また、熱硬化性樹脂を用いずに電線コネクタ７を固定することができることから、配線ユニットケーブル用ジョイントボックス１の生産性を向上させるとともに、重量を軽減して取り扱い性を向上させることができる。
【００４０】
その他、本発明は本発明の主旨を変えない範囲で種々変更実施可能なことは勿論である。
【００４１】
【発明の効果】
以上説明したように、請求項１に記載された本発明によれば、配線ユニットケーブルの結線部に設けた電線コネクタをジョイントボックス本体のスロット溝のストッパーに係合させるようにした構造の配線ユニットケーブル用ジョイントボックスにより、従来よりも生産能力及び取り扱い性を向上させることができるという効果を奏する。また、製品完成後に誤配線が発見されても結線の修復を容易に行うことができるという効果を奏する。
【００４２】
請求項２に記載された本発明によれば、ストッパーにテーパを形成することにより、ジョイントボックス本体内の配索をし易くすることができるという効果を奏する。
【００４３】
請求項３に記載された本発明によれば、スロット部分を設けることにより、ジョイントボックス本体内の配索をし易くすることができるという効果を奏する。また、スロット部分及び押し付け部材を設けることにより、配線ユニットケーブルの固定状態をよりよくすることができるという効果を奏する。
【００４４】
請求項４に記載された本発明によれば、押し付け部材を反発弾性の小さい部材で形成することにより、ケーブルサイズが異なる配線ユニットケーブルであっても安定した状態で固定することができるという効果を奏する。
【００４５】
請求項５に記載された本発明によれば、スロット部分の滑り止めにより、配線ユニットケーブルのずれを防止することができるという効果を奏する。
【００４６】
請求項６に記載された本発明によれば、ジョイントボックスカバーにロック手段を形成することにより、ジョイントボックスカバーの取り付けが容易になり、生産能力を向上させることができるという効果を奏する。また、ジョイントボックスカバーの取り外しが容易になり、結線の修復を簡単に行うことができるという効果を奏する。
【図面の簡単な説明】
【図１】本発明による配線ユニットケーブル用ジョイントボックスの一実施の形態を示す図であり、（ａ）はジョイントボックスカバーを取り外した状態の配線ユニットケーブル用ジョイントボックスの平面図、（ｂ）は電線コネクタの拡大斜視図である。
【図２】ジョイントボックス本体の平面図（円内はスロット部分の拡大図）である。
【図３】ジョイントボックス本体の正面図である。
【図４】ジョイントボックス本体の側面図である。
【図５】ジョイントボックスカバーの平面図である。
【図６】ジョイントボックスカバーの正面図である。
【図７】ジョイントボックスカバーの側面図である。
【図８】ジョイントボックスカバーの背面図である。
【図９】ジョイントボックスカバーを取り付けた状態の配線ユニットケーブル用ジョイントボックスの平面図である。
【図１０】図９のＡ−Ａ線断面図である。
【符号の説明】
１　配線ユニットケーブル用ジョイントボックス
２　配線ユニットケーブル
３　結線部
４　ジョイントボックス本体
５　ジョイントボックスカバー
６　絶縁線心
７　電線コネクタ
８　係止面
９　基板
１０　側壁
１１　スロット溝
１２　スロット部分
１３　取り付け部
１４　貫通孔
１５　ロック部
１６　テーパ
１７　ストッパー
１８　係止突起
１９　溝
２０　滑り止め
２１　基板
２２　スロット溝
２３　押し付け部材
２４　係止突起（ロック手段）
２５　ロック部（ロック手段）
２６　ストッパー
２７　テーパ
【図１】
2004007878.tif 000003
【図２】
2004007878.tif 000004
【図３】
2004007878.tif 000005
【図４】
2004007878.tif 000006
【図５】
2004007878.tif 000007
【図６】
2004007878.tif 000008
【図７】
2004007878.tif 000009
【図８】
2004007878.tif 000010
【図９】
2004007878.tif 000011
【図１０】
2004007878.tif 000012